(57)【要約】      （修正有）【課題】蛇口に連結すると共に水流方向及び排水モードを手動で切り換えて改変する蛇口シャントを提供する。【解決手段】蛇口シャントは給水部２、第一排水部３、第二排水部５、及び制御部４をそれぞれ装設する本体１を備えている。制御部はシャントの排水方向及び排水モードを制御し、第一排水部はカバー及びノズル３２を備え、第一排水部の中心部から水を柱状に排水し、或いは第一排水部の円周から水をスプレー状に排水し、もしくは第二排水部のホースから排水する。本体及び各部の主要部材はすべて射出成形される。【選択図】図１
0003227422.tif 000002
【実用新案登録請求の範囲】
【請求項１】
第一連通チューブと、第三連通チューブと、第四連通チューブと、を含む本体であって、前記本体の内部には仕切り壁と、前記仕切り壁を貫通するように設ける第一孔部及び第二孔部と、を含み、前記第三連通チューブは連通口を介して前記第四連通チューブに連通し、前記第一孔部は前記第四連通チューブ及び前記第一連通チューブの中央チューブに連通し、前記第二孔部は前記第四連通チューブ及び前記第一連通チューブの円周部に連通することと、
前記第三連通チューブに連結するコネクタを含み、前記コネクタは蛇口に連結する給水部と、
カバー及びノズルを含み、前記カバーは中央孔及び複数の円周孔を有し、前記ノズルは中央排水部及び円周排水部を具備し、前記カバーは前記ノズル中に設置し、前記ノズルは前記第一連通チューブに連結し、前記カバーの前記中央孔は前記第一連通チューブの前記中央チューブに被装し、前記中央チューブのチューブ端は前記ノズルの中央排水部の側壁に相互に被装する第一排水部と、
係合部材を介して連結すると共に同時回転する制御台及びノブを含み、前記制御台は前記第四連通チューブ内部に設け、且つ前記制御台は前記仕切り壁の端部に対する貯水エリアを設け、前記貯水エリアは前記連通口を介して前記第三連通チューブに連通し、前記制御台の前記端部には偏心する排水孔部を設け、前記排水孔部は前記貯水エリアに連通し、前記制御台の円周には弾性係合部材を径方向に設置し、前記第四連通チューブの内壁には第一係止溝及び第二係止溝を設け、回転すると前記弾性係合部材が前記第一係止溝または前記第二係止溝に弾性係合する制御部と、を備え、
弾性係合部材が前記第一係止溝に弾性係合すると、前記貯水エリア、前記排水孔部、前記第一孔部、前記第一連通チューブ、前記中央チューブ、前記中央孔、及び前記中央排水部が第一水路を構成し、水を前記中央排水部から排出し、
前記弾性係合部材を前記第二係止溝に弾性係合すると、前記貯水エリア、前記排水孔部、前記第二孔部、前記第一連通チューブ、前記円周部、前記円周孔、及び前記円周排水部が第二水路を構成し、水を前記円周排水部から排出することを特徴とする蛇口シャント。
【請求項２】
固定台と、回転台と、管継手と、を含む第二排水部を更に備え、前記固定台のラジアル部は前記本体の第二連通チューブに連結し、前記回転台のラジアル部は前記管継手に連結し、前記回転台及び前記固定台の軸心は回転軸を介して連結し、前記固定台内部は第一チャネルを介して前記第二連通チューブに連通し、前記回転台内部は第二チャネルを介して第一チャネルに連通し、前記第二チャネルは前記管継手に連通し、前記第四連通チューブの内壁には前記弾性係合部材を弾性係合するための第三係止溝を設け、前記仕切り壁は第三孔部を備え、前記制御部が回転し、前記弾性係合部材が前記第三係止溝に弾性係合すると、前記貯水エリア、前記排水孔部、前記第三孔部、前記第二連通チューブ、前記第一チャネル、及び前記第二チャネルが第三水路を構成し、水を前記管継手から排出することを特徴とする請求項１に記載の蛇口シャント。
【請求項３】
前記固定台及び前記回転台の対向面には複数の溝及び弾性玉をそれぞれ設けることを特徴とする請求項２に記載の蛇口シャント。
【請求項４】
前記回転台に対向する前記固定台の一面には第一位置限定部材及び第二位置限定部材を設け、前記弾性玉が前記第一位置限定部材または前記第二位置限定部材に接触し、前記回転台の回転角度を制限することを特徴とする請求項３に記載の蛇口シャント。
【請求項５】
前記係合部材は前記制御台に設けると共に軸方向滑り止めを有するフォーク構造、及び前記ノブ内部に設けると共に軸方向滑り止めを有する挿入孔を備え、前記フォーク構造は前記挿入孔中に結合することを特徴とする請求項１に記載の蛇口シャント。
【考案の詳細な説明】
【技術分野】
【０００１】
本考案は、蛇口シャントに関し、より詳しくは、蛇口に連結すると共に水流方向及び排水モードを手動で切り換えて改変する蛇口シャントに関する。
【背景技術】
【０００２】
従来の特許文献では、例えば、下記特許文献１の「蛇口シャント」という記載がある。本体（ｍａｉｎ  ｂｏｄｙ）と、前記本体に装設する入口部（ｉｎｌｅｔ  ｐａｒｔ）と、第一出口部（ｆｉｒｓｔ  ｏｕｔｌｅｔ  ｐａｒｔ）と、第二出口部（ｓｅｃｏｎｄ  ｏｕｔｌｅｔ  ｐａｒｔ）と、制御部（ｃｏｎｔｒｏｌ  ｐａｒｔ）と、を備えている。前記入口部は蛇口に連結し、前記第一出口部は角度が調整可能であり、且つホースに連結する。前記第二出口部は排水モードを切り換え可能であり、前記制御部は水路を制御し、出口を切り換える。上述の各部は多くの部材を各々備え、最終的な組立固定には超音波接合（ｕｌｔｒａｓｏｎｉｃ  ｗｅｌｄｉｎｇ）技術を用いる。
【先行技術文献】
【特許文献】
【０００３】
【特許文献１】アメリカ特許出願公開第ＵＳ９６６３９２７Ｂ２号明細書
【考案の概要】
【考案が解決しようとする課題】
【０００４】
しかしながら、前述した従来の技術では、部材が多く、装設が面倒である。また、超音波接合後に部材を分解して交換すること、または再度組み立てることができなかった。
【０００５】
そこで、本考案者は上記の欠点が改善可能と考え、鋭意検討を重ねた結果、合理的設計で上記の課題を効果的に改善する本考案の提案に至った。
【０００６】
かかる従来の実情に鑑みて、本考案は、新規な構造を有する蛇口シャントを提供することを目的とする。換言すれば、本考案によれば、部材の数量を減らし、装設方式を簡略化し、超音波接合による固定を免除し、メンテナンス及び部材交換を容易にする。
【課題を解決するための手段】
【０００７】
上記目的を達成するため、本考案に係る蛇口シャントの特徴は、給水部、第一排水部、第二排水部、及び制御部をそれぞれ装設する本体を備えている。前記制御部は前記シャントの排水方向及び排水モードを制御し、第一排水部の中心部から水を柱状に排水し、或いは第一排水部の円周から水をスプレー状に排水し、もしくは第二排水部のホースから排水する。前記本体及び上述の各部の主要部材はすべて射出成形される部材であることを特徴とする蛇口シャントである。
【図面の簡単な説明】
【０００８】
【図１】本考案に係る蛇口シャントを説明する外観斜視図である。
【図２】本考案に係る蛇口シャントの第一視角を説明する斜視分解図である。
【図３】本考案に係る蛇口シャントの第一視角を説明する斜視分解図である。
【図４】本考案の本体を説明する斜視断面図（一）である。
【図５】本考案の本体を説明する斜視断面図（二）である。
【図６】本考案の本体を説明する斜視断面図（三）である。
【図７】本考案の本体を説明する斜視断面図（四）である。
【図８】本考案の制御台を説明する斜視図である。
【図９】本考案の制御台を説明する斜視断面図である。
【図１０】本考案の組み合わせを説明する断面図である。
【図１１】図１０のＸＩ−ＸＩ線に沿う断面図である。
【図１２】本考案の制御部が水柱に切り替えて排水する側面図である。
【図１３】柱状に排水する流れ方向の斜視断面図である。
【図１４】本考案の制御部がスプレーに切り替えて排水する側面図である。
【図１５】スプレー状に排水する流れ方向を示す斜視断面図である。
【図１６】スプレー状に排水する流れ方向を示す斜視断面図である。
【図１７】本考案の制御部がホースに切り替えて排水する側面図である。
【図１８】ホースに排水する流れ方向を示す斜視断面図である。
【図１９】本考案の管継手の方向を調整する概略図である。
【考案を実施するための形態】
【０００９】
以下に図面を参照して、本考案を実施するための形態について、詳細に説明する。なお、本考案は、以下に説明する実施形態に限定されるものではない。
【００１０】
図１、図３及び図１０に示されるように、本考案に係る蛇口シャントは本体１を備えている。前記本体１は４つの連通チューブ構造であり、給水部２、第一排水部３、第二排水部５、及び制御部４をそれぞれ装設する。
【００１１】
前記本体１は射出成形される部材であり、第一連通チューブ１１と、第二連通チューブ１２と、第三連通チューブ１３と、第四連通チューブ１４と、を備えている。
【００１２】
前記給水部２は主にコネクタ２１及び止め輪２２を備え、共に射出成形される部材である。前記止め輪２２により前記コネクタ２１を前記第三連通チューブ１３に固定し、前記コネクタ２１を蛇口に連結する（図示せず）。
【００１３】
前記第一排水部３はカバー３１及びノズル３２を備え、共に射出成形される部材である。前記カバー３１は中央孔３１１及び複数の円周孔３１２を有する。前記ノズル３２は中央排水部３２１及び円周排水部３２３を有する。前記カバー３１は前記ノズル３２中に設置する。前記ノズル３２及び前記第一連通チューブ１１はねじ山により連結する。前記カバー３１の前記中央孔３１１は前記第一連通チューブ１１の中央チューブ１１１に被装し、前記中央チューブ１１１のチューブ端は前記中央排水部３２１の側壁３２２に被装する。
【００１４】
前記制御部４は制御台４１及びノブ４２を備え、共に射出成形される部材である。前記制御台４１は枢設部材４３を介して前記第四連通チューブ１４中の枢設部１７に回転可能に連結する。前記制御台４１及び前記ノブ４２は係合部材４４を介して連結すると共に同時回転する。前記係合部材４４は、前記制御台４１に設けると共に軸方向滑り止めを有するフォーク構造４４１及び前記ノブ４２内部に設けると共に軸方向滑り止めを有する挿入孔４４２を含み、前記フォーク構造４４１は前記挿入孔４４２中に結合する（図３及び図９参照）。
【００１５】
前記第二排水部５は固定台５１と、回転台５２と、管継手５３と、を備え、共に射出成形される部材である。前記固定台５１のラジアル部５１１は止め輪５１５により前記第二連通チューブ１２に連結する。前記回転台５２のラジアル部５２１及び前記管継手５３はねじ山により連結し、前記管継手５３はホース（図示せず）を連結するために用いる。前記回転台５２及び前記固定台５１の軸心は回転軸５３１を介して連結し、前記回転台５２が回転すると前記管継手５３の方向が改変する（図１９参照）。前記固定台５１及び前記回転台５２の対向面には複数の溝５３２及び弾性玉５３３をそれぞれ設けている。
【００１６】
図４に示されるように、前記本体１の内部には仕切り壁１５と、前記仕切り壁１５を貫通するように設ける第一孔部１５１と、第二孔部１５２と、第三孔部１５３と、を備えている。前記第三連通チューブ１３は連通口１６を介して前記第四連通チューブ１４と連通する。前記仕切り壁１５の中心部には枢設部１７を有し、前記制御部４の枢設部材４３を取り付けるために用いる。
【００１７】
図５に示されるように、前記第一孔部１５１は前記第四連通チューブ１４及び前記中央チューブ１１１に連通する。
【００１８】
図６に示されるように、前記第二孔部１５２は前記第四連通チューブ１４及び前記第一連通チューブ１１の円周部１１２に連通する。
【００１９】
図７に示されるように、前記第三孔部１５３は前記第四連通チューブ１４及び前記第二連通チューブ１２に連通する。
【００２０】
図８乃至図１０に示されるように、前記制御台４１には前記本体１の前記仕切り壁１５の端部に対する第一ストッパー４１１及び第二ストッパー４１２を設け、前記第一ストッパー４１１及び前記二ストッパーの間には間隔を有し、これにより貯水エリア４１３を形成する。前記貯水エリア４１３は上述の連通口１６により前記第三連通チューブ１３に連通する。前記二ストッパー４１２には偏心するように排水孔部４１６を設ける。
【００２１】
図８、図１０及び図１１に示されるように、前記制御台４１の円周には弾性係合部材４１５を径方向に設置し、前記第四連通チューブ１４の内壁には第一係止溝１４１、第二係止溝１４２、及び第三係止溝１４３を設け、前記弾性係合部材４１５をその中に弾性係合する。
【００２２】
図１２及び図１３に示されるように、前記ノブ４２を回転することで前記シャントの排水方向及びモードを改変する。前記ノブ４２の端部には水柱インデックス４２２、スプレーインデックス４２３、及びホースインデックス４２４を設ける。
【００２３】
前記ノブ４２を前記水柱インデックス４２２が前記本体１の基準点１８（図１参照）に対応するまで回転すると、前記弾性係合部材４１５が第一係止溝１４１に弾性係合し、前記排水孔部４１６が前記第一孔部１５１に対応する。前記貯水エリア４１３、前記排水孔部４１６、前記第一孔部１５１、前記第一連通チューブ１１、前記中央チューブ１１１、前記中央孔３１１、及び前記中央排水部３２１が第一水路を構成し、前記中央排水部３２１から水を柱状に排水する。
【００２４】
図１４乃至図１６に示されるように、前記ノブ４２を前記スプレーインデックス４２３が前記基準点１８（図１参照）に対応するまで回転すると、前記弾性係合部材４１５が第二係止溝１４２に弾性係合し、前記排水孔部４１６が前記第二孔部１５２に対応する。前記貯水エリア４１３、前記排水孔部４１６、前記第二孔部１５２、前記第一連通チューブ１１、前記円周部１１２、前記円周孔３１２、及び前記円周排水部３２３が第二水路を構成し、前記円周排水部３２３から水をスプレー状に排水する。
【００２５】
図１７及び図１８に示されるように、前記ノブ４２を前記ホースインデックス４２４が前記基準点１８（図１参照）に対応するまで回転すると、前記弾性係合部材４１５が第三係止溝１４３に弾性係合し、前記排水孔部４１６が前記第三孔部１５３に対応する。前記貯水エリア４１３、前記排水孔部４１６、前記第三孔部１５３、前記第二連通チューブ１２、前記固定台５１の第一チャネル５１４（前記第二連通チューブ１２に連通する）、及び前記回転台５２の第二チャネル５２２（第一チャネル５１４及び前記管継手５３に連通する）が第三水路を構成し、前記管継手５３から水を排水する。
【００２６】
図１９に示されるように、前記回転台５２を回転すると前記管継手５３の方向が改変する。図１０を参照すると、前記回転台５２に対向する前記固定台５１の一面に第一位置限定部材５１２及び第二位置限定部材５１３を設ける。前記回転台５２を回転することで前記弾性玉５３３が前記第一位置限定部材５１２または前記第二位置限定部材５１３に接触し、前記回転台５２の回転角度を制限する。
【００２７】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２８】
１  本体
１１  第一連通チューブ
１１１  中央チューブ
１１２  円周部
１２  第二連通チューブ
１３  第三連通チューブ
１４  第四連通チューブ
１４１  第一係止溝
１４２  第二係止溝
１４３  第三係止溝
１５  仕切り壁
１５１  第一孔部
１５２  第二孔部
１５３  第三孔部
１６  連通口
１７  枢設部
１８  基準点
２  給水部
２１  コネクタ
２２  止め輪
３  第一排水部
３１  カバー
３１１  中央孔
３１２  円周孔
３２  ノズル
３２１  中央排水部
３２２  側壁
３２３  円周排水部
４  制御部
４１  制御台
４１１  第一ストッパー
４１２  第二ストッパー
４１３  貯水エリア
４１５  弾性係合部材
４１６  排水孔部
４２  ノブ
４２２  水柱インデックス
４２３  スプレーインデックス
４２４  ホースインデックス
４３  枢設部材
４４  係合部材
４４１  フォーク構造
４４２−挿入孔
５  第二排水部
５１  固定台
５１１  ラジアル部
５１２  第一位置限定部材
５１３  第二位置限定部材
５１４  第一チャネル
５１５  止め輪
５２  回転台
５２１  ラジアル部
５２２  第二チャネル
５３  管継手
５３１  回転軸
５３２  溝
５３３  弾性玉
【図１】
0003227422.tif 000003
【図２】
0003227422.tif 000004
【図３】
0003227422.tif 000005
【図４】
0003227422.tif 000006
【図５】
0003227422.tif 000007
【図６】
0003227422.tif 000008
【図７】
0003227422.tif 000009
【図８】
0003227422.tif 000010
【図９】
0003227422.tif 000011
【図１０】
0003227422.tif 000012
【図１１】
0003227422.tif 000013
【図１２】
0003227422.tif 000014
【図１３】
0003227422.tif 000015
【図１４】
0003227422.tif 000016
【図１５】
0003227422.tif 000017
【図１６】
0003227422.tif 000018
【図１７】
0003227422.tif 000019
【図１８】
0003227422.tif 000020
【図１９】
0003227422.tif 000021